(57)【要約】【課題】  パネル組立体、これを利用したプラズマ表示装置の組立体、及びプラズマ表示装置組立体の製造方法を提供する。【解決手段】  第１パネルと、これと平行に配されている第２パネルと、第１及び第２パネル間に配されている複数の放電電極と、放電電極を埋め込む誘電体層上に形成されている保護膜層と、第１及び第２パネルのうち少なくともいずれか一方のパネルの外面に形成され、パネル中央の画像表示領域と、パネルの縁の非表示領域との温度差を縮めるために付着された熱伝導媒体とを備え、エージング工程時、パネル組立体の表示領域と非表示領域との温度差を減らすことができることにより、パネル組立体の破損を防止することができるパネル組立体である。【選択図】  図４
2006120618.tif 000002
【特許請求の範囲】
【請求項１】
第１パネルと、前記第１パネルと平行するように配置されている第２パネルと、
前記第１及び第２パネル間に配置されている複数の放電電極と、
前記放電電極を埋め込む誘電体層上に形成されている保護膜層と、
前記第１及び第２パネルのうち少なくともいずれか一方のパネルの外面に形成され、パネル中央の画像表示領域とパネルの縁の非表示領域との温度差を縮めるために付着された熱伝導媒体とを備えていることを特徴とするパネル組立体。
【請求項２】
前記熱伝導媒体は、高温の表示領域から相対的に低温の非表示領域に熱を伝達可能な透明な素材からなることを特徴とする請求項１に記載のパネル組立体。
【請求項３】
前記熱伝導媒体は、透明な導電膜からなることを特徴とする請求項２に記載のパネル組立体。
【請求項４】
前記熱伝導媒体は、銅、アルミニウム、金、銀、白金のうちから選択されたいずれか１つのフィルムであることを特徴とする請求項２に記載のパネル組立体。
【請求項５】
前記熱伝導媒体は、前記表示領域と非表示領域とを共に被覆可能なサイズを有することを特徴とする請求項２に記載のパネル組立体。
【請求項６】
前記保護膜層は、酸化マグネシウムからなることを特徴とする請求項１に記載のパネル組立体。
【請求項７】
前面及び背面パネルが結合されたパネル組立体と、
前記パネル組立体と結合されるシャーシベースと、
前記パネル組立体の各端子に電気的信号を伝達する駆動回路部と、
前記パネル組立体と、シャーシベースと、駆動回路部とを収容するケースと、
前記前面及び背面パネルのうち少なくともいずれか一方のパネルに結合され、エージング工程時にパネル組立体の画像表示領域から縁の非表示領域に熱を伝達する熱伝導媒体と、を備えていることを特徴とするプラズマ表示装置の組立体。
【請求項８】
前記熱伝導媒体は、熱伝逹のための透明な薄膜の素材からなることを特徴とする請求項７に記載のプラズマ表示装置の組立体。
【請求項９】
前記熱伝導媒体は、ＩＴＯ膜、銅、銀、白金、金のうちから選択されたいずれか１つの薄膜であることを特徴とする請求項８に記載のプラズマ表示装置の組立体。
【請求項１０】
前記熱伝導媒体は、パネル組立体とシャーシベースとの間に配置されていることを特徴とする請求項８に記載のプラズマ表示装置の組立体。
【請求項１１】
前面パネルと背面パネルとをそれぞれ組み立てるステップと、
前記前面及び背面パネルを封着させるステップと、
前記パネル内部を真空排気させるステップと、
前記パネルを定格電圧以上の高圧でエージングさせるステップと、を含み、
前記パネルを組み立てるステップは、エージング時にパネル中央の表示領域から相対的に低温であるパネルの縁の非表示領域に熱を伝達するために、少なくともいずれか１つのパネルの外面に高熱伝導率の熱伝導媒体を付着するステップを有することを特徴とするプラズマ表示装置組立体の製造方法。
【請求項１２】
前記パネルの表示領域と非表示領域とを共に覆うように前記熱伝導媒体を付着するステップを有することを特徴とする請求項１１に記載のプラズマ表示装置組立体の製造方法。
【請求項１３】
高熱伝導性の透明な導電膜をコーティングすることにより前記熱伝導媒体を形成するステップを有することを特徴とする請求項１２に記載のプラズマ表示装置組立体の製造方法。
【請求項１４】
高熱伝導性の金属フィルムを付着させることにより前記熱伝導媒体を形成するステップを有することを特徴とする請求項１２に記載のプラズマ表示装置組立体の製造方法。
【発明の詳細な説明】
【技術分野】
【０００１】
本発明は、プラズマ表示装置の組立体に係り、さらに詳細にはエージング時に温度偏差による基板の破損を防止するためのプラズマ表示装置の組立体、プラズマ表示装置組立体の製造方法に関する。
【背景技術】
【０００２】
一般に、プラズマ表示装置の組立体は、複数の基板の対向面に複数の放電電極を形成し、基板間の密閉された放電空間に放電ガスを注入した状態で、各放電電極に所定の電源を印加し、放電空間に発生する紫外線により蛍光体層の蛍光物質を励起させ、発光された光を利用して画像を具現する平板表示装置をいう。
【０００３】
かかるプラズマ表示装置の組立体は、前面パネルとこれと結合される背面パネルとを備えるパネル組立体と、パネル組立体の後方に付着されたシャーシベースと、シャーシベースの後方に付着された駆動回路基板と、パネル組立体と駆動回路基板とを電気的に連結したフレキシブルプリントケーブルとを含んでいる。
【０００４】
プラズマ表示装置の組立体の製造工程を概略的に述べれば、次の通りである。
前面パネルの製造においては、前面基板を用意し、前記前面基板上に多数の第１放電電極を形成させる。第１放電電極上には、それらを埋め込むように、第１誘電体層をプリントする。次に、第１誘電体層の表面には、保護膜層を形成させる。
背面パネルの製造においては、背面基板を用意し、前記背面基板上に第２放電電極を形成させる。第２放電電極は、第２誘電体層により埋め込まれる。第２誘電体層の上面には、放電空間を区画するための隔壁を形成させ、前記隔壁の内側、赤、緑、青の蛍光体層を塗布する。
【０００５】
かかる過程を介して完成された前面及び背面パネルは、相互整列された状態で縁にガラスフリットが塗布され、適正温度で熱処理する過程を介して相互封着される。封着されたパネル間に残留する水分を始めとする不純物を除去するために、真空状態で排気を行う。
次に、キセノン−ネオン（Ｘｅ−Ｎｅ）を主成分とする気体を封入し、パネル組立体を排気装置から分離する。次いで、パネル組立体に所定の電圧を印加してエージング放電させ、ＩＣチップを装着して、プラズマ表示装置の組立体が完成される。
【０００６】
かかる一連のプラズマ表示装置の組立体の組立工程において、エージング工程は、チップ−オフ（ｔｉｐ−ｏｆｆ）されたパネル組立体に適正時間電流を流して放電させ、パネル組立体の電気的、光学的特性を安定化させるために行う工程である。
【０００７】
以下の特許文献１は、維持電極とデータ電極との間に交互に方形波電圧を印加して点灯させることにより、エージングを行うことを開示している。また、以下の特許文献２は、エージングによる点灯ムラをなくすこと、絶縁体層の絶縁破壊の解消、短時間のエージングを可能にするエージング法を提供している。
さらに、以下の特許文献３は、走査電極及び維持電極に交互に印加するエージング電圧の高さ差を起こし、エージング効果を損傷させずに小さい電力でエージングを行う方法を提供している。また、以下の特許文献４は、蛍光体層に損傷を負わせず、エージングの所要時間を短縮する方法を提供している。
【０００８】
ところで、従来のエージング工程を行うときには、パネル組立体が頻繁に破損してしまうという問題が発生している。
このように、パネル組立体の破損は、パネル組立体の画像を具現する表示領域と、外部端子と接続されるとともに表示領域の縁に沿って形成されている非表示領域との温度差から発生しているということである。
【０００９】
従来のパネル組立体において、エージング工程時に非表示領域での温度を測定してみると、約３０℃であるの対し、表示領域での温度は、９０℃である。このように、非表示領域と表示領域との境界面での温度差が約６０℃あり、かかる温度差は、パネル組立体の破損の直接的な原因になっている。
【特許文献１】特開平０４−０１４４２８号公報
【特許文献２】特開平０３−３１７６２５号公報
【特許文献３】特開平０３−３０８７８１号公報
【特許文献４】特開平０２−２３１１４１号公報
【発明の開示】
【発明が解決しようとする課題】
【００１０】
本発明は、前記のような問題点を解決するためのものであり、エージング時に表示領域と非表示領域間との温度差を縮め、パネル組立体の破損を減らすことができるように、パネル組立体と、これを採用したプラズマ表示装置の組立体と、プラズマ表示装置組立体の製造方法とを提供するところにその目的がある。
【課題を解決するための手段】
【００１１】
前記のような目的を達成するために、本発明のパネル組立体は、第１パネルと、前記第１パネルと平行するように配置されている第２パネルと、前記第１及び第２パネル間に配置されている複数の放電電極と、前記放電電極を埋め込む誘電体層上に形成されている保護膜層と、前記第１及び第２パネルのうち少なくともいずれか一方のパネルの外面に形成され、パネル中央の画像表示領域と、パネルの縁の非表示領域との温度差を縮めるために付着された熱伝導媒体とを備えていることを特徴とする。また、前記熱伝導媒体は、高温の表示領域から相対的に低温の非表示領域に熱を伝達可能な透明な素材からなることを特徴とする。
【００１２】
本発明のプラズマ表示装置の組立体は、前面及び背面パネルが結合されたパネル組立体と、前記パネル組立体と結合されるシャーシベースと、前記パネル組立体の各端子に電気的信号を伝達する駆動回路部と、前記パネル組立体と、シャーシベースと、駆動回路部とを収容するケースと、前記前面及び背面パネルのうち少なくともいずれか一方のパネルに結合され、エージング工程時にパネル組立体の画像の表示領域から縁の非表示領域に熱を伝達する熱伝導媒体とを備えることを特徴とする。また、前記熱伝導媒体は、熱伝逹のための透明な薄膜の素材からなることを特徴とする。
【００１３】
本発明のプラズマ表示装置組立体の製造方法は、前面パネルと、背面パネルとをそれぞれ組立てるステップと、前面及び背面パネルを封着させるステップと、パネル内部を真空排気させるステップと、パネルを定格電圧以上の高圧でエージングさせるステップとを含み、パネルを組立てるステップは、エージング時にパネル中央の表示領域から相対的に低温であるパネルの縁の非表示領域に熱を伝達するために、少なくともいずれか１つのパネルの外面に、高熱伝導率の熱伝導媒体を付着するスッテプを有することを特徴とする。
【発明の効果】
【００１４】
本発明のパネル組立体と、これを利用したプラズマ表示装置の組立体と、プラズマ表示装置組立体の製造方法は、次のような効果を得ることができる。
第一に、エージング工程時に、パネル組立体の表示領域と非表示領域との温度差を縮められることにより、パネル組立体の破損を防止することができる。
第二に、エージングが十分になされ、放電電圧と輝度特性とが向上する。
第三に、保護膜層の表面を活性化し、放電が安定的に起きて蛍光体層が十分に発光される。
【発明を実施するための最良の形態】
【００１５】
以下、添付した図面を参照しつつ、本発明の一例によるプラズマ表示装置の組立体を詳細に説明する。
図１は、一般的なパネル組立体１００を図示した図面である。図１を参照すれば、前記パネル組立体１００は、前面パネル１１０と、前記前面パネル１１０と対向するように配されている背面パネル１６０とを備えている。
【００１６】
前記前面パネル１１０には、前面基板１１１が設けられている。前記前面基板１１１は、ソーダライムガラス（ｓｏｄａ ｌｉｍｅ ｇｌａｓｓ）のような透明なガラス基板からなる。前記前面基板１１１の下には、パネル１００のＸ方向に沿ってＸ及びＹ電極１１２，１１３が放電セル内に交互に配されている。
【００１７】
前記Ｘ電極１１２は、ストライプ型の第１透明電極ライン１１２ａと、前記第１透明電極ライン１１２ａと重畳されている第１バス電極ライン１１２ｂとを含んでおり、前記Ｙ電極１１３は、ストライプ型の第２透明電極ライン１１３ａと、前記第２透明電極ライン１１３ａと重畳されている第２バス電極ライン１１３ｂとを含んでいる。
【００１８】
前記第１及び第２透明電極ライン１１２ａ，１１３ａは、透明な導電膜、例えばＩＴＯ膜（Ｉｎｄｉｕｍ Ｔｉｎ Ｏｘｉｄｅ Ｆｉｌｍ）からなり、前記第１及び第２バス電極ライン１１２ｂ，１１３ｂは、前記第１及び第２透明電極ライン１１２ａ，１１３ａの電気抵抗を減らすために、導電性にすぐれる素材、例えば銀ペーストからなることが望ましい。
【００１９】
かかるＸ及びＹ電極１１２，１１３は、前面誘電体層１１４により埋め込まれている。前記前面誘電体層１１４は、前記Ｘ及びＹ電極１１２，１１３が配されている部分にだけ選択的に塗布されるか、または前面基板１１１の全領域に塗布されることもある。前記前面誘電体層１１４の表面には、酸化マグネシウム（ＭｇＯ）のような保護膜層１１５が蒸着されている。
【００２０】
前記背面パネル１６０には、背面基板１６１が設けられている。前記背面基板１６１は、前記前面基板１１１と平行に配されている。
前記背面基板１６１上には、パネル１００のＹ方向に沿ってストライプ型のアドレス電極１６２が配されている。前記アドレス電極１６２は、前記Ｘ及びＹ電極１１２，１１３と交差する方向に配されている。前記アドレス電極１６２は、隣接した放電セルを横切って延びている。前記アドレス電極１６２は、背面誘電体層１６３により埋め込まれている。
【００２１】
前記前面及び背面パネル１１０，１６０の間には、放電空間を区画し、隣接した放電セル間のクロス−トークを防止するために、隔壁１６４が配されている。前記隔壁１６４は、パネル１００のＸ方向に沿って配されている第１隔壁１６４ａと、パネル１００のＹ方向に沿って配されている第２隔壁１６４ｂとを備えている。前記第１隔壁１６４ａは、隣接するように配されている第２隔壁１６４ｂの内側から対向する方向に延長され、前記第１及び第２隔壁１６４ａ，１６４ｂは、結合時にマトリックス型をなしている。
【００２２】
代案として、前記隔壁１６４は、ミアンダ型（ｍｅａｎｄｅｒ ｔｙｐｅ）や、デルタ型や、ヘキサゴナル型など、多様な形態の実施例が存在し、それにより区画された放電セルは、四角形以外に、他の形の多角形や、円形などいずれか１つの構造に限定されるものではない。
【００２３】
前記隔壁１６４の内側には、各放電セル別に赤、緑、青色の蛍光体層１６５が塗布されており、前記蛍光体層１６５は、放電セルのどの領域にも塗布され得るが、本実施例では、隔壁１６４の内側に塗布されている。
【００２４】
前記蛍光体層１６５は、それぞれの放電セル別にコーティングされている。赤色の蛍光体層は、（Ｙ，Ｇｄ）ＢＯ３：Ｅｕ３＋からなり、緑色の蛍光体層は、Ｚｎ２ＳｉＯ４：Ｍｎ２＋からなり、青色の蛍光体層は、ＢａＭｇＡｌ１０Ｏ１７：Ｅｕ２＋からなることが望ましい。
【００２５】
前記のような構造を有するパネル組立体１００は、Ｙ電極１１３とアドレス電極１６２とに電気的信号を印加して放電セルを選択し、Ｘ及びＹ電極１１２，１１３に交互に電気的信号を印加し、前面パネル１１０の表面から面放電が起こって紫外線が発生し、選択された放電セルの蛍光体層１６５から可視光が放出され、静止画像または動映像を具現することができる。
【００２６】
図２は、図１のパネル組立体１００を採用したプラズマ表示装置の組立体２００を図示した図面である。
図２を参照すれば、前記プラズマ表示装置の組立体２００は、前面パネル１１０と、前記前面パネル１１０と結合される背面パネル１６０とを備えるパネル組立体１００を備えている。
【００２７】
前記パネル組立体１００の後方には、シャーシベース２１０が配されている。前記シャーシベース２１０は、接着部材によりパネル組立体１００と結合されている。前記シャーシベース２１０は、熱伝導率にすぐれるアルミニウムプレートからなる。前記シャーシベース２１０の上下部には、この強度を補強するために、シャーシ補強部材２２０が設置されている。
【００２８】
前記シャーシベース２１０の背面には、複数の駆動回路部２３０が設置されている。前記駆動回路部２３０には、多数の回路素子２３１が実装されている。前記駆動回路部２３０とパネル組立体１００との間には、フレキシブルプリントケーブル２４０が設置されている。前記フレキシブルプリントケーブル２４０は、パネル組立体１００の各電極端子と、駆動回路部２３０のコネクタとを相互電気的に連結している。
【００２９】
前記パネル組立体１００の前方には、フィルタ組立体２５０が設置されている。前記フィルタ組立体２５０は、パネル組立体１００から発生する電磁波や、赤外線や、ネオン発光や、外光の反射を遮断するために設置されている。
【００３０】
前記パネル組立体１００、シャーシベース２１０、駆動回路部２３０及びフィルタ組立体２５０は、ケース２６０内に収容されている。前記ケース２６０は、前記フィルタ組立体２５０の前方に設置されたフロントキャビネット２６１と、前記駆動回路部２３０の後方に設置されたバックカバー２６２とからなる。前記バックカバー２６２の上下端には、多数のベントホール２６３が形成されている。
【００３１】
一方、前記フィルタ組立体２５０の背面には、フィルタホルダ２７０が設置されている。前記フィルタホルダ２７０は、フロントキャビネット２６１に対してフィルタ組立体２５０を加圧する加圧部２７１と、前記加圧部２７１から前記パネル組立体１００の方向に折り曲げられた固定部２７２とを含んでいる。
【００３２】
また、フロントキャビネット２６１の背面には、フィルタ装着部２７３が設置されている。前記フィルタ装着部２７３には、前記固定部２７２が対向するように位置しており、螺合により前記フロントキャビネット２６１に対してフィルタ組立体２５０を固定している。このとき、エージング時に表示領域と非表示領域との温度差を縮めるために、前記パネル組立体１００の外面のうち、少なくともいずれか１ヵ所には熱伝導媒体が設置されている。
【００３３】
図３に示すように、パネル組立体１００には、駆動時に画像を具現する領域である表示領域（Ｄ）と、表示領域（Ｄ）の縁に沿って形成され、外部端子との電気的接続を行う非表示領域（ＮＤ）とに区画され、表示領域（Ｄ）には、Ｘ電極１１２と、Ｙ電極１１３と、それらと交差する方向にアドレス電極１６０とが配されている。
【００３４】
かかるパネル組立体１００を中央部分から縁部分まで５領域Ａ，Ｂ，Ｃ，Ｄ，Ｅに分割してみれば、エージング工程時に定格電圧以上に加えられる高圧により、パネル組立体１００の中央部Ａから縁部Ｅまで各部分別に温度差が出る。特に、表示領域（Ｄ）と、非表示領域（ＮＤ）と接する境界部Ｃ，Ｄとでは、急激な温度差（△Ｔ＝ＴＤ−ＴＮＤ）が発生してしまう。
【００３５】
かかる温度差を補償するために、図４に示すように、パネル組立体１００の外面には、熱伝導媒体３１０が設置されている。
前記熱伝導媒体３１０は、背面基板１６０の外面に沿って形成されており、相対的に温度が高い表示領域（Ｄ）から発生した熱が相対的に温度の低い非表示領域（ＮＤ）に伝えられるように、熱伝逹率の高い素材からなる。また、前記熱伝導媒体は、画像の再現性に影響を及ぼさないように、透明な金属物質からなることが望ましい。
【００３６】
かかる熱伝導媒体３１０は、多様な形状で存在可能であるが、背面基板１６０の外面の全領域に透明な導電膜、例えばＩＴＯ膜をコーティングさせたり、アルミニウム、銅、金、白金のうちから選択された熱伝導性にすぐれる金属フィルムを付着させたり、金属塊（ｎｕｇｇｅｔ）を利用して蒸着させ、薄膜に形成させることも可能である。
【００３７】
一方、前記熱伝導媒体３１０は、背面基板１６０の外面に形成させるだけではなく、前面基板１１０の外面にも形成させることができ、前面及び背面１１０，１６０の表面に共に形成させることも可能である。このとき、画像を再現する方向が前面基板１１０の前側ならば、背面基板１６０の外面に付着させることが画質を保護する側面でさらに有利であるといえる。
【００３８】
かかる熱伝導媒体３１０がパネル組立体１００の表面に付着すれば、表示領域（Ｄ）から発生した高い熱量は、非表示領域（ＮＤ）に伝えられ、その結果、表示領域（Ｄ）の温度は低くなり、非表示領域（ＮＤ）の温度は高まり、両領域での温度差を縮められる。
【００３９】
本出願人の実験による、エージング時のパネル組立体の温度変化は、図５及び図６に図示した通りである。
図５は、従来のパネル組立体による比較例であり、パネル組立体の外面に熱伝導媒体が形成されていない場合であり、図６は、本発明のパネル組立体による実施例であり、パネル組立体の外面に熱伝導媒体が形成されている場合である。
また、Ｘ軸は、図３に示すパネル組立体の中央部分から縁部分まで、５領域Ａ，Ｂ，Ｃ，Ｄ，Ｅに分割したものであり、Ｙ軸は、温度を指す。
【００４０】
図５を参照すれば、表示領域（Ｄ）の真ん中から表示領域（Ｄ）と非表示領域（ＮＤ）の境界部まで（ＡないしＣ）は、約３０ないし４０℃の温度を維持するのに対し、非表示領域（ＮＤ）の開始点Ｄからパネル組立体１００の縁Ｅまでは、９０℃近辺まで温度が急上昇している。
【００４１】
これに比べ、図６に示す本発明のパネル組立体の場合には、表示領域（Ｄ）の真ん中から表示領域（Ｄ）と非表示領域（ＮＤ）の境界部まで（ＡないしＣ）は、約４０℃の温度を維持するのに対し、非表示領域（ＮＤ）の開始点Ｄからパネル組立体１００の縁Ｅまでは８０℃近辺まで温度が上昇している。
【００４２】
このように、従来の比較例の場合には、表示領域（Ｄ）と非表示領域（ＮＤ）との温度差（△Ｔ＝ＴＤ−ＴＮＤ）は、約６０℃であったが、本発明の実施形態の場合には、表示領域（Ｄ）と非表示領域（ＮＤ）との温度差（△Ｔ＝ＴＤ−ＴＮＤ）は、約４０℃になり、△Ｔが３０％ほど減っている。
【００４３】
また、エージング工程時のパネル組立体の破損個数は、表１に示した通りである。
【００４４】
【表１】
2006120618.tif 000003
【００４５】
従来の構造を有する比較例の場合、全体投入されたパネル組立体の個数が１５であるのに対し、表示領域（Ｄ）と非表示領域（ＮＤ）との温度差が６０℃以上になり、エージング時のパネル組立体の破損個数は６個になっている。これに対し、本発明の実施形態の場合、全体投入されたパネル組立体の個数が１５であるのに対し、表示領域（Ｄ）と非表示領域（ＮＤ）との温度差が４０℃になり、エージング時にパネル組立体の破損個数は１個となっている。
【００４６】
前記のような構成を有する本発明の一実施形態によるプラズマ表示装置の組立体２００の製造過程を説明すれば次の通りである。
前面パネル１１０の製造においては、透明なガラスからなる前面基板１１１が用いられる。準備された前面基板１１１の一面には、第１透明電極ライン１１２ａと第２透明電極ライン１１３ａとが交互に形成される。前記第１及び第２透明電極ライン１１２ａ，１１３ａの１つの縁には、それらの電気伝導性を向上させるために、第１バス電極ライン１１２ｂと第２バス電極ライン１１３ｂとが重畳されて配置される。
【００４７】
次に、Ｘ及びＹ電極１１２，１１３を埋め込むために、前面誘電体層１１４がプリントされ、前記前面誘電体層１１４の下には、放電状態を維持し、余分の放電電流を制御する役割を果たす保護膜層１１５が蒸着される。
【００４８】
背面パネル１６０の製造においては、背面基板１６１が用いられる。前記背面基板１６１の上には、Ｘ及びＹ電極１１２，１１３と直交する方向にアドレス電極１６２が形成される。前記アドレス電極１６２の上面には、これを埋め込むために背面誘電体層１６３がプリントされる。
【００４９】
次に、前記背面誘電体層１６３の上面には、放電セルを区画するために、マトリックス型の隔壁１６４が形成される。前記隔壁１６４は、スクリーンプリント法や、サンドブラスト法や、ドライフィルム法など多様な方法で形成可能である。前記隔壁１６４が形成された後、前記隔壁１６４の内側に赤、緑、青色の蛍光体層１６５を放電セル別に塗布する。
【００５０】
このとき、背面基板１６１の外面には、熱伝導媒体３１０を付着させる。かかる熱伝導媒体３１０は、背面基板１６１を準備するステップで、その外面に付着させるか、または背面パネル１６０の完成後に付着させることができるなど、いずれか１つのステップに限定されるものではない。
【００５１】
このように、前面及び背面パネル１１０，１６０が完成された後、それらを組立てる工程を経る。すなわち、前面及び背面パネル１１０，１６０を接合及び封着させる工程と、排気及び放電ガスを注入させる工程と、エージングさせる工程と、回路部を付着させる工程とを挙げられる。
【００５２】
まず、前面及び背面パネル１１０，１６０は、互いに位置を整列させ、クリップのような固定手段を利用して固定させた後、前面及び背面パネル１１０，１６０の対向する内側の縁に沿って塗布された密封材の一種であるガラスフリットを適正温度、例えばほぼ５００℃ほどで熱処理して相互封着させる。
【００５３】
次に、前面及び背面パネル１１０，１６０は、真空排気及び気体を封入する工程を経る。すなわち、パネル組立体１００は、ほぼ３００℃以上の温度状態で別途に設けられた排気装置を利用して排気を行う。これにより、内部に存在する水分を始めとする不純物が離脱される。高真空が得られた後には、バリウム及びジルコニウムゲッタを高周波誘導加熱などの方法で加熱して活性化する。それらゲッタは、所望するガス以外のガスを吸着させる。
【００５４】
次に、真空状態の両パネル１１０，１６０間にキセノン、ネオン、ヘリウムなどが混合された放電ガスを数ミリグラム封入し、パネル組立体１００を排気装置から分離させる。
次に、パネル組立体１００の各電極１１２，１１３に定格電圧以上の高圧を印加し、保護膜層１１５表面を活性化し、パネル組立体１００の放電特性を安定化させるようにエージング工程を行う。例えば、周波数は、２０ないし５０ＫＨｚ、電圧は、２００ないし３５０Ｖほどを印加する。
【００５５】
このとき、前記パネル組立体１００の外面には、熱伝導率にすぐれる透明な金属材質からなる熱伝導媒体３１０が形成されているので、パネル組立体１００の表示領域（Ｄ）と、非表示領域（ＮＤ）との温度差は４０℃前後に縮まる。これにより、表示領域（Ｄ）と非表示領域（ＮＤ）との境界部での急激な温度差によるパネル組立体１００の破損を防止することができる。
【００５６】
このように、パネル組立体１００に所定の電圧を印加してエージング放電させた後、ゲッタを切断し、回路部を装着してプラズマ表示装置の組立体２００を完成する。
【００５７】
本発明は、図面に示された一実施形態を参考に説明されたが、それは例示的なものに過ぎず、本技術分野の当業者ならば、それにから多様な変形及び均等な他の実施形態が可能であるという点が理解できるであろう。従って、本発明の真の技術的保護範囲は、特許請求の範囲の技術的思想により決まるものである。
【産業上の利用可能性】
【００５８】
本発明は、エージング時にパネル全体の温度を均一にできるパネル組立体と、これを採用したプラズマ表示装置の組立体と、プラズマ表示装置組立体の製造方法とを提供し、エージング工程時のパネル組立体の破損を防止することができ、例えばプラズマ表示装置に関連した技術分野に効果的に適用可能である。
【図面の簡単な説明】
【００５９】
【図１】一般的なパネル組立体を一部切除して図示した分離斜視図である。
【図２】図１のパネル組立体を採用したプラズマ表示装置の組立体である。
【図３】図１のパネル組立体を領域別に図示した概略図である。
【図４】本発明の一実施形態によるパネル組立体を図示した斜視図である。
【図５】従来の比較例によるパネル組立体の各領域での温度分布を図示したグラフである。
【図６】図５と比較される本発明の実施例によるパネル組立体の各領域での温度分布を図示したグラフである。
【符号の説明】
【００６０】
１００  パネル組立体
１１０  前面パネル
１６０  背面パネル
３１０  熱伝導媒体
【図１】
2006120618.tif 000004
【図２】
2006120618.tif 000005
【図３】
2006120618.tif 000006
【図４】
2006120618.tif 000007
【図５】
2006120618.tif 000008
【図６】
2006120618.tif 000009